(57)【要約】【課題】書き損じの際に修正しやすく、かつ、ハガキに記載された個人情報の保護を厚くすることができるハガキ付き印刷物を提供する。【解決手段】印刷面１ａに切り取って利用可能なハガキ部分２とハガキ隠蔽部分３とを有する。ハガキ隠蔽部分３はハガキ部分２に隣接して設けられる。ハガキ隠蔽部分３はハガキ部分２との境界線で折り曲げてハガキ部分２の少なくとも一部を被覆可能である。ハガキ隠蔽部分３は表面に粘着剤９が付着されている。粘着剤９はハガキ隠蔽部分３の周縁部の全体に付着された周縁部分９ａと、周縁部の内側に散点状に付着された散点部分９ｂとから成ってハガキ部分２にハガキ隠蔽部分３を複数回、剥離および貼付け可能な粘着力を有する。粘着剤９の全体に剥離シート１０が貼り付けられている。【選択図】図１
0003114632.tif 000002
【実用新案登録請求の範囲】
【請求項１】
印刷面に切り取って利用可能なハガキ部分とハガキ隠蔽部分とを有し、前記ハガキ隠蔽部分は前記ハガキ部分に隣接して設けられ前記ハガキ部分との境界線で折り曲げて前記ハガキ部分の少なくとも一部を被覆可能であって表面に粘着剤が付着されており、前記粘着剤は前記ハガキ隠蔽部分の周縁部の全体に付着された周縁部分と、前記周縁部の内側に散点状に付着された散点部分とから成って前記ハガキ部分に前記ハガキ隠蔽部分を複数回、剥離および貼付け可能な粘着力を有し、前記粘着剤の全体に剥離シートが貼り付けられていることを、特徴とするハガキ付き印刷物。
【考案の詳細な説明】
【技術分野】
【０００１】
本考案は、ハガキを切り取って郵送可能なハガキ付き印刷物に関する。
【背景技術】
【０００２】
従来のハガキ付き印刷物として、貼付紙片を葉書本体紙片に重ね合わせるときに間に外在させて両面の粘着面により貼付紙片と葉書本体紙片との両紙片を剥離可能に貼り合わせる貼着シートが片面の粘着面により部分的に綴じ合わされ、貼着シートの他方の片面の粘着面が剥離紙で剥離可能に覆われているものがある（例えば、特許文献１参照）。
【０００３】
【特許文献１】特開２０００−２４７０６７号公報
【考案の開示】
【考案が解決しようとする課題】
【０００４】
しかしながら、特許文献１記載のハガキ付き印刷物では、貼付紙片を葉書本体紙片から剥がした後には、貼付紙片を葉書本体紙片に再び貼り付けることができなかった。このため、貼付紙片を葉書本体紙片から剥がした後に、ハガキに記載された個人情報が漏洩しやすいという課題があった。また、貼付紙片を葉書本体紙片に貼り付けた後に、書き損じなどに気付いて貼付紙片を葉書本体紙片から剥がした場合、粘着テープなどで貼付紙片を葉書本体紙片に貼り合わせる必要があるため、修正に手間がかかるという課題があった。
【０００５】
本考案は、このような従来の課題に着目してなされたもので、書き損じの際に修正しやすく、かつ、ハガキに記載された個人情報の保護を厚くすることができるハガキ付き印刷物を提供することを目的とする。
【課題を解決するための手段】
【０００６】
上記目的を達成するために、本考案に係るハガキ付き印刷物は、印刷面に切り取って利用可能なハガキ部分とハガキ隠蔽部分とを有し、前記ハガキ隠蔽部分は前記ハガキ部分に隣接して設けられ前記ハガキ部分との境界線で折り曲げて前記ハガキ部分の少なくとも一部を被覆可能であって表面に粘着剤が付着されており、前記粘着剤は前記ハガキ隠蔽部分の周縁部の全体に付着された周縁部分と、前記周縁部の内側に散点状に付着された散点部分とから成って前記ハガキ部分に前記ハガキ隠蔽部分を複数回、剥離および貼付け可能な粘着力を有し、前記粘着剤の全体に剥離シートが貼り付けられていることを、特徴とする。
本考案に係るハガキ付き印刷物は、ハガキ部分とハガキ隠蔽部分とを切り取って利用する。ハガキ部分に記入事項を記載したならば、ハガキ隠蔽部分から剥離シートを剥がし、ハガキ隠蔽部分をハガキ部分との境界線で折り曲げて、ハガキ隠蔽部分でハガキ部分の少なくとも一部を被覆する。これにより、ハガキ部分のハガキ隠蔽部分で被覆した部分を隠し、個人情報の保護を図ることができる。ハガキ隠蔽部分の粘着剤は周縁部分と散点部分とから成って、ハガキ部分にハガキ隠蔽部分を複数回、剥離および貼付け可能となっているので、必要なとき以外、ハガキ部分をハガキ隠蔽部分で被覆しておくことにより、ハガキに記載された個人情報の保護を厚くすることができる。また、書き損じに気付いたときには、ハガキ隠蔽部分をハガキ部分に貼り付けた後であっても、ハガキ隠蔽部分をハガキ部分から剥がして書き損じを修正し、再び、ハガキ部分にハガキ隠蔽部分を貼り付けることができる。このため、書き損じの際の修正が容易である。
【考案の効果】
【０００７】
本考案によれば、書き損じの際に修正しやすく、かつ、ハガキに記載された個人情報の保護を厚くすることができるハガキ付き印刷物を提供することができる。
【考案を実施するための最良の形態】
【０００８】
以下、図面に基づき本考案の実施の形態について説明する。
図１および図２は、本考案の実施の形態を示している。
図１に示すように、ハガキ付き印刷物１は、中央に折曲線を有する長方形のちらしから成る。ハガキ付き印刷物１は、一方の印刷面１ａに切り取って利用可能なハガキ部分２とハガキ隠蔽部分３とを有する。ハガキ部分２は、ハガキ大の大きさの長方形部分から成り、周縁部に切取線を示す破線４が印刷されている。ハガキ部分２には、料金受取人払を示す表示５と、宛先６と、差出人記入欄７とが印刷されている。差出人記入欄７には、住所、氏名、年収などの個人情報を記入するようになっている。
【０００９】
ハガキ隠蔽部分３は、ハガキ部分２の大きさの半分よりやや小さい大きさの長方形部分から成り、周縁部に切取線を示す破線８が印刷されている。なお、ハガキ隠蔽部分３は、ハガキ部分２の大きさと同じ大きさを有してハガキ部分２の全体に貼り付けられるようになっていてもよい。また、破線４，８は、ミシン目から成っていてもよい。ハガキ隠蔽部分３は、周縁部の１辺の破線８がハガキ部分２の破線４と共通して境界線８ａを構成し、ハガキ部分２に隣接して設けられている。ハガキ隠蔽部分３は、ハガキ部分２との境界線８ａで折り曲げてハガキ部分２の差出人記入欄７を被覆可能であって表面に粘着剤９が付着されている。
【００１０】
粘着剤９は、周縁部分９ａと散点部分９ｂとから成る。周縁部分９ａはハガキ隠蔽部分３の周縁部の全体に付着されており、散点部分９ｂは周縁部の内側に散点状に付着されている。粘着剤９は、ハガキ部分２にハガキ隠蔽部分３を複数回、剥離および貼付け可能な粘着力を有している。剥離シート１０が、粘着剤９の全体に貼り付けられている。
【００１１】
ハガキ付き印刷物１は、図２に示す製造装置により製造することができる。
図２に示すように、ハガキ付き印刷物１の製造装置は、給紙部１１とローラ部１２と糊装置１３とシール切断装置１４と排出部１５とを有している。ローラ部１２は、ローラ２１〜２６を組み合わせて構成されている。給紙部１１の印刷用紙１１ａは、ローラ２１とローラ２３の間、ローラ２２とローラ２３の間、ローラ２３とローラ２４の間を通り、ローラ２７によりローラ２４との間でハガキ隠蔽部分３に粘着剤９を糊付けされる。ローラ２７は、糊を入れた容器１６からローラ２８，２９により糊を付着されている。ハガキ隠蔽部分３の粘着剤９の上に剥離シート１０が貼り付けられる。剥離シート１０は、シートロール３０からシール切断装置１４で切断されてローラ２５に供給され、ローラ２４とローラ２５との間で粘着剤９の上に剥離シート１０が貼り付けられる。剥離シート１０が貼り付けられたハガキ付き印刷物１は、ローラ２６により反転されて排出部１５に積み重ねられる。
【００１２】
次に、作用について説明する。
ハガキ付き印刷物１は、ハガキ部分２とハガキ隠蔽部分３とを切り取って利用する。ハガキ部分２の差出人記入欄７に住所、氏名等の記入事項を記載したならば、ハガキ隠蔽部分３から剥離シート１０を剥がし、ハガキ隠蔽部分３をハガキ部分２との境界線８ａで折り曲げて、ハガキ隠蔽部分３でハガキ部分２の差出人記入欄７を被覆する。これにより、ハガキ隠蔽部分３で差出人記入欄７を隠し、個人情報の保護を図ることができる。ハガキ部分２をハガキ隠蔽部分３で被覆して成るハガキは、ポストに投函し、宛先６に郵送することができる。
【００１３】
ハガキ隠蔽部分３の粘着剤９は周縁部分９ａと散点部分９ｂとから成って、ハガキ部分２にハガキ隠蔽部分３を複数回、剥離および貼付け可能となっているので、受取人側では、必要なとき以外、ハガキ部分２をハガキ隠蔽部分３で被覆しておくことにより、ハガキに記載された個人情報の保護を厚くすることができる。
【００１４】
また、差出人は、書き損じに気付いたときには、ハガキ隠蔽部分３をハガキ部分２に貼り付けた後であっても、ハガキ隠蔽部分３をハガキ部分２から剥がして書き損じを修正し、再び、ハガキ部分２にハガキ隠蔽部分３を貼り付けることができる。このため、差出人にとって書き損じの際の修正が容易である。
【図面の簡単な説明】
【００１５】
【図１】本考案の実施の形態のハガキ付き印刷物を示す正面図である。
【図２】図１に示すハガキ付き印刷物の製造装置を示す（Ａ）概略説明図、（Ｂ）平面図である。
【符号の説明】
【００１６】
１    ハガキ付き印刷物
２    ハガキ部分
３    ハガキ隠蔽部分
４    破線
５    表示
６    宛先
７    差出人記入欄
８    破線
９    粘着剤
１０  剥離シート
【図１】
0003114632.tif 000003
【図２】
0003114632.tif 000004